(57)【特許請求の範囲】
【請求項１】
可撓性外袋と、フィルム体により外袋内収納空間部と隔離されている収納空間部を有する方形小室からなる内袋とを有し、さらに収納物充填口と収納物取り出し口とを備えている複室構造の密封収納用バックであって、前記方形小室からなる内袋は、該方形小室を形成する熱溶着性方形フィルム体の周縁部を相対する外袋の一方の熱溶着性壁面（後壁面）に溶着接合して内袋内収納空間部が形成され、前記方形フィルム体の幅方向中央領域の小面積部分と相対する外袋の他方の熱溶着性壁面（前壁面）とを溶着接合して内袋開封部が形成されている構造を有しており、前記外袋内収納空間部及び前記内袋内収納空間部の双方に収納物充填口より使用時に互いに混合すべき収納物を別々に充填して収納物充填口を溶着封鎖し密封した状態で、外部から外袋内収納空間部に押圧力を加えることにより前記内袋開封部において前記方形フィルム体を破壊できる構造であることを特徴とする、複室構造の密封収納用バッグ。
【請求項２】
前記方形小室からなる内袋は、一枚のフィルム体を二つ折りに折り重ねた折り曲げ部よりなる底端部、両側端部及び上端部のそれぞれに沿った領域を外袋の一方の壁面（後壁面）に帯状に溶着して収納空間部が形成され、外袋の他方の壁面（前壁面）と相対するフィルム体の幅方向中央領域の小面積部分とを溶着接合して内袋開封部が形成されていることを特徴とする請求項１記載の複室構造の密封収納用バッグ。
【請求項３】
前記内袋は、その上端部から底端部に沿った溶着部に至る複数の平行な線状区画溶着部によって、内袋を形成している方形フィルム体を前記外袋の一方の壁面（後壁面）に溶着接合して複数の互いに隔離されている小室に区画されており、各小室毎に、前記内袋開封部が形成されていることを特徴とする請求項１又は請求項２に記載の複室構造の密封収納用バッグ。
【請求項４】
前記内袋の前記複数の平行な線状区画溶着部と重なるように、内袋の上端部から底端部方向に向かって外袋前壁面が該線状区画溶着部上に、所定長さで溶着接合されて内袋開封部補強溶着部が形成されていることを特徴とする請求項３記載の複室構造の密封収納用バッグ。
【請求項５】
前記内袋開封部補強溶着部は、その先端部が前記内袋開封部より上方領域に止まるように外袋前壁面を該線状区画溶着部上に溶着接合して形成されていることを特徴とする請求項４記載の複室構造の密封収納用バッグ。
【請求項６】
前記内袋開封部に近接して、その上方位置に幅方向に広がる帯状の非破壊性溶着接合部からなる内袋開封部補助溶着部を有することを特徴とする請求項１〜請求項５のいずれか１項に記載の複室構造の密封収納用バッグ。
【請求項７】
前記内袋開封部は、鋭角な角部を有する形状の溶着接合部であることを特徴とする請求項１〜請求項６のいずれか１項に記載の複室構造の密封収納用バッグ。
【請求項８】
前記内袋開封部は、内袋の幅方向中央部で、かつ内袋の底端部溶着接合部の近傍に形成されていることを特徴とする請求項１〜請求項７のいずれか１項に記載の複室構造の密封収納用バッグ。
【請求項９】
前記外袋及び内袋は、それぞれの収納空間部に収納される物質に対して非吸着性である熱溶着性合成樹脂フィルム体で形成されていることを特徴とする請求項１〜請求項８のいずれか１項に記載の複室構造の密封収納用バッグ。
【請求項１０】
前記外袋は、外袋収納空間部を上下に二分する易剥離性溶着接合部によって二室に分割されていることを特徴とする請求項１〜請求項９のいずれか１項に記載の複室構造の密封収納用バッグ。
【請求項１１】
前記外袋は、袋体内部側がポリオレフィンフィルム層からなり、袋体外部側がポリエチレンテレフタレート層からなる積層フィルム体で形成されていることを特徴とする請求項１〜請求項１０のいずれか１項に記載の複室構造の密封収納用バッグ。
【請求項１２】
前記内袋は、ポリオレフィンフィルム体で形成されていることを特徴とする請求項１〜請求項１１のいずれか１項に記載の複室構造の密封収納用バッグ。
【請求項１３】
請求項１〜請求項１２のいずれか１項に記載の複室構造の密封収納用バッグの外袋内収納空間と内袋内収納空間に糖類を含有する輸液とアミノ酸類を含有する輸液が別々に収納されていることを特徴とする容器入り経静脈用総合栄養輸液製剤。
【請求項１４】
請求項１〜請求項１２のいずれか１項に記載の複室構造の密封収納用バッグの外袋内収納空間と内袋内収納空間に調理済み食品と調味料及び／又は惣菜類が別々に収納されていることを特徴とする容器入り調理済み保存食品。
【発明の詳細な説明】
【技術分野】
【０００１】
本発明は、収納物を密封収納可能な可撓性の外袋内に、外袋内収納物と異なる収納物を隔離して密封収納できる小室からなる内袋を有し、利用時には内袋壁を破壊して内袋内に密封収納されている収納物と外袋内に密封収納されている収納物とを混合することができる複室構造の密封収納用バッグに関する。より詳細には、本発明は、利用直前に混合するまで互いを隔離した状態におく必要のある、例えば、２液混合型の輸液バッグや調味料付きの保存用調理食品バッグ等として使用することができる複室構造の密封収納用バッグに関するものである。
【背景技術】
【０００２】
医療分野で消化器手術後の患者等の栄養管理で利用される中心静脈からの高カロリー輸液は、栄養源である糖質とアミノ酸と電解質を含有しているが、糖質とアミノ酸を混合状態におくとメイラード反応を起こすことから、混合状態で容器に収納保管することができない。このような輸液を収納している容器としては、可撓性容器内に小室を形成して、糖質であるブドウ糖液とアミノ酸含有液とを隔離した状態で容器内に収納し、利用時に小室内と袋体内部空間を連通させて収納液同士を混合する形式の容器が使用される。この形式の容器としては、利用時に可撓性バッグを外部から押圧することによってバッグ内の小室とバック内空間部を隔離している部分を破壊することができるものが提案されている（特許文献１、特許文献２、特許文献３）。【０００３】
上記形式の複室構造の容器の場合、利用時の混合操作性を重視して隔離部分を破壊しやすいように設定すると、流通時や保管時にバッグ外部から加わる押圧力によって上記の隔離部分が破壊され、隔離収納している液同士が利用前に混合してしまうことがあるし、逆に押圧力に耐える強度を付与するために隔離部分の強度を高めると、利用時に小室とバッグ内空間部間を連通する部分の形成が不完全となり、収納液同士を完全に混合するためにさらに煩雑な作業を必要となる。【０００４】
上記のようなバック内に隔離状態で密封収納されている複数収納物が流通、保管時に混合してしまうことや、利用時の複数収納物を収納している室間を連通させることが不確実であることに起因する複数収納物の不完全混合を避けることができる輸液バッグも提案されており、たとえば、一方の薬液を収納する密封可能な軟質バッグの一端部に、軟質バッグと別体に他の薬液を収納する小容器を取り付け、軟質バッグ外部からの押圧操作によりバッグ内の破断可能な小容器部分を破壊する構造のもの（特許文献４）や、一方の薬液収納室内に他方の薬液収納小袋を吊設し、該小袋壁の一部に易剥離シール部を設け、該易剥離シール部と一方の薬液収納室内壁とを強接着して、一方の薬液収納室を外部から押圧した際に、該易剥離シール部が引き剥がされて小袋壁が開口する構造の小袋付きバッグ（特許文献５）等も提案されている。【０００５】
しかし、これらのバッグは構造が複雑なために製造コストが高くなることが避けられない。
【特許文献１】特開昭６２−１７６４５１号公報
【特許文献２】特開平８−１８２７３９号公報
【特許文献３】特表平８−５０９６３１号公報
【特許文献４】特開２００３−１５９３０９号公報
【特許文献５】特開２００３−６２０３８号公報
【発明の開示】
【発明が解決しようとする課題】
【０００６】
本発明は、構造が単純で、製造が容易であって安価であり、しかも、利用時にバッグ外部からの押圧圧縮操作のみで外袋内に形成されている小室（内袋）を破壊して小室内収納物と外袋内収納物とを混合利用することができ、かつ、製造時から使用時までの流通過程や保管時に加わる外圧に耐える強度を備え、さらに、収納液中の成分に対して非汚染性の安定な素材のみを使用して形成されている複室構造の密封用バッグを提供することを目的とするものである。
【課題を解決するための手段】
【０００７】
上記課題を解決するための本発明は、平型の可撓性外袋内部の収納空間部に、外袋内収納空間部とフィルム体によって隔離されている収納空間部を有する偏平状の方形小室からなる内袋を固定配置し、該方形小室を形成するフィルム体と外袋の一方の壁面とを小面積の溶着接合部によって接合した構造を有しており、外袋内収納空間部及び内袋内収納空間部の双方に、使用時に互いに混合される物質を別々に密封収納した状態で、外部から押圧して外袋内収納空間部を圧縮することによって前記小面積の溶着接合部において小室（内袋）のフィルム体を選択的に破壊して外袋と内袋双方の収納空間部を連通することができる複室構造の密封収納用バッグに関するものであり、特に、混合により不安定であるビタミン等を分別収納する輸液容器に好的に使用できるものであり以下の各発明を包含する。【０００８】
（１）可撓性外袋と、フィルム体により外袋内収納空間部と隔離されている収納空間部を有する方形小室からなる内袋とを有し、さらに収納物充填口と収納物取り出し口とを備えている複室構造の密封収納用バックであって、前記方形小室からなる内袋は、該方形小室を形成する熱溶着性方形フィルム体の周縁部を相対する外袋の一方の熱溶着性壁面（後壁面）に溶着接合して内袋内収納空間部が形成され、前記方形フィルム体の幅方向中央領域の小面積部分と相対する外袋の他方の熱溶着性壁面（前壁面）とを溶着接合して内袋開封部が形成されている構造を有しており、前記外袋内収納空間部及び前記内袋内収納空間部の双方に収納物充填口より使用時に互いに混合すべき収納物を別々に充填して収納物充填口を溶着封鎖し密封した状態で、外部から外袋内収納空間部に押圧力を加えた場合に前記内袋開封部において前記方形フィルム体が破壊される構造であることを特徴とする、複室構造の密封収納用バッグ。【０００９】
（２）前記方形小室からなる内袋は、一枚のフィルム体を二つ折りに折り重ねた折り曲げ部よりなる底端部、両側端部及び上端部のそれぞれに沿った領域を外袋の一方の壁面（後壁面）に帯状に溶着して収納空間部が形成され、外袋の他方の壁面（前壁面）と相対するフィルム体の幅方向中央領域の小面積部分とを溶着接合して内袋開封部が形成されていることを特徴とする（１）項記載の複室構造の密封収納用バッグ。【００１０】
（３）前記内袋は、その上端部から底端部に沿った溶着部に至る複数の平行な線状区画溶着部によって、内袋を形成している方形フィルム体を前記外袋の一方の壁面（後壁面）に溶着接合して複数の互いに隔離されている小室に区画されており、各小室毎に、前記内袋開封部が形成されていることを特徴とする（１）項又は（２）項に記載の複室構造の密封収納用バッグ。【００１１】
（４）前記内袋の前記複数の平行な線状区画溶着部と重なるように、内袋の上端部から底端部方向に向かって外袋前壁面が該線状区画溶着部上に、所定長さで溶着接合されて内袋開封部補強溶着部が形成されていることを特徴とする前記（３）項記載の複室構造の密封収納用バッグ。【００１２】
前記内袋開封部補強溶着部は、その先端部が前記内袋開封部より上方領域に止まるように外袋前壁面を前記線状区画溶着部上溶着接合して形成されていることを特徴とする（４）項記載の複室構造の密封収納用バッグ。【００１３】
（６）前記内袋開封部に近接して、その上方位置に幅方向に広がる帯状の非破壊性溶着接合部からなる内袋開封部補助溶着部を有することを特徴とする（１）項〜（５）項のいずれか１項に記載の複室構造の密封収納用バッグ。【００１４】
（７）前記内袋開封部は、鋭角な角部を有する形状の溶着接合部であることを特徴とする（１）項〜（６）項のいずれか１項に記載の複室構造の密封収納用バッグ。【００１５】
（８）前記内袋開封部は、内袋の幅方向中央部で、かつ内袋の底端部溶着接合部の近傍に形成されていることを特徴とする（１）項〜（７）項のいずれか１項に記載の複室構造の密封収納用バッグ。【００１６】
（９）前記外袋及び内袋は、それぞれの収納空間部に収納される物質に対して非吸着性である熱溶着性合成樹脂フィルム体で形成されていることを特徴とする（１）項〜（８）項のいずれか１項に記載の複室構造の密封収納用バッグ。【００１７】
（１０）前記外袋は、外袋収納空間部を上下に二分する易剥離性溶着接合部によって二室に分割されていることを特徴とする（１）項〜（９）項のいずれか１項に記載の複室構造の密封収納用バッグ。【００１８】
（１１）前記外袋は、袋体内部側がポリオレフィンフィルム層からなり、袋体外部側がポリエチレンテレフタレート層からなる積層フィルム体で形成されていることを特徴とする（１）項〜（１０）項のいずれか１項に記載の複室構造の密封収納用バッグ。【００１９】
（１２）前記内袋は、ポリオレフィンフィルム体で形成されていることを特徴とする（１）項〜（１１）項のいずれか１項に記載の複室構造の密封収納用バッグ。【００２０】
（１３）前記（１）項〜（１２）項のいずれか１項に記載の複室構造の密封収納用バッグの外袋内収納空間と内袋内収納空間に糖類を含有する輸液とアミノ酸類を含有する輸液が別々に収納されていることを特徴とする容器入り経静脈用総合栄養輸液製剤。【００２１】
（１４）前記（１）項〜（１２）項のいずれか１項に記載の複室構造の密封収納用バッグの外袋内収納空間と内袋内収納空間に調理済み食品と調味料及び／又は惣菜類が別々に収納されていることを特徴とする容器入り調理済み保存食品。
【発明の効果】
【００２２】
本発明の複室構造の密封収納用バッグは、外袋用の熱溶着性フィルムと内袋用の熱溶着性フィルムとを加熱溶着するだけで形成することができる構造であり、構造が単純で連続大量生産が容易であるために安価であり、しかも、利用時にバッグ外部からの押圧により外袋内収納空間部を圧縮する操作のみでバッグ内の小室（内袋）を確実に破壊することができ、かつ製造時から使用時までの流通過程や保管時における外圧によって簡単に内袋が破壊されることがなく、さらに、収納物質に対して非汚染性の安全な素材のみを使用して形成されているので、使用直前まで隔離収納しなければならない２液型輸液等の医薬製剤用容器として、また、喫食時に使用する調味料や惣菜類を同封するタイプの調理済み保存食品用の容器として有用である。
【図面の簡単な説明】
【００２３】
【図１】本発明の複室構造の密封収納用バッグの基本的は構造とその使用態様を示す図である。
【図２】図１の複室構造の密封収納用バッグの変形体の構造とその使用態様を示す図である。
【図３】内袋を複室構造とした本発明の複室構造の密封収納用バッグの構造とその使用態様を示す図である。
【図４】図３の複室構造の密封収納用バッグの変形体の構造とその使用態様を示す図である。
【図５】図４の複室構造の密封収納用バッグの変形体の構造とその使用態様を示す図である。
【図６】図１の複室構造の密封収納用バッグに内袋開封補助溶着部を設けた変形体の構造とその使用態様を示す図である。
【図７】図４の複室構造の密封収納用バッグに内袋開封補助溶着部と外袋に易剥離性溶着接合部を設けた変形体の構造とその使用態様を示す図である。
【符号の説明】
【００２４】
１：複室構造の密封収納用バック
２：外袋
３：内袋
４：側端溶着接合部
５：上端溶着接合部
６：内袋開封部
７：内袋底端部溶着接合部
８：外袋底端部溶着接合部
９：取り出し口
１０：内袋開封部補強溶着部
１１：区画溶着接合部
１２：内袋底端部
１３：内袋開封補助溶着部
１４：易剥離性溶着接合部
【発明を実施するための最良の形態】
【００２５】
本発明の複室構造の密封収納用バッグは、高強度の外袋と、外袋内収納空間部と隔離されている収納空間部を有する小室からなる内袋部分を有する複室構造のバックである。【００２６】
本発明の複室構造の密封収納用バッグにおける外袋の少なくとも内部側部分と内袋部分は、熱溶着可能でかつ医薬品や食品を収納する用途に適した非吸着性で可撓性の樹脂フィルムによって形成されている。このような非吸着性で可撓性の樹脂フィルムとしては、ポリエステルフィルムやポリオレフィンフィルムが好ましく、特にポリエチレンテレフタレートフィルム、ポリエチレンフィルム、ポリプロピレンフィルム、環状ポリオレフィンフィルム（ＣＯＰ）、それらの積層体からなる多層フィルム等が好ましく、内容成分の吸着のない材質のフィルムを選択して用いるものである。【００２７】
また、本発明の複室構造の密封収納用バッグは、外袋と内袋との小面積の溶着接合部からなる内袋開封部に引き剥がし力が加わった場合に確実に内袋壁を形成しているフィルム体側のみが破壊されることが求められることから、外袋用合成樹脂フィルムは内袋用合成樹脂フィルム体より高強度であることが必要である。それ故、外袋が内袋と同一合成樹脂材料で構成されている場合は、内袋用フィルムよりも高強度を得るために内袋用フィルムよりも厚肉のものが外袋用フィルム体として使用される。また、外袋の内側がポリオレフィン層で外側が高強度を付与することができるポリエステル層であるような積層フィルムも好適に使用される。【００２８】
以下、添付図面を参照して本発明の複室構造の密封収納用バッグの詳細を説明する。【００２９】
図１は、本発明の一実施例である複室構造の密封収納用バッグを示しており、（ａ）は正面図、（ｂ）は（ａ）のＸ−Ｘ線断面図、（ｃ）は複室構造の密封収納用バッグを外部から押圧して内袋部近傍を膨張させた状態における正面図（ａ）のＸ−Ｘ線断面図である。【００３０】
図１の複室構造の密封収納用バッグ１は、図１のａ及び図１のｂに示すように、外袋２と外袋２内上部に内蔵されている内袋３を有し、外袋２の底部には取り出し口となるスパウト９が取り付けられ、上部側は収納物充填前は開放されていて充填口となっている。【００３１】
外袋２と内袋３は、図１の例においては、少なくとも内部側が熱溶着性ポリマー層である１枚の外袋用合成樹脂フィルムを二つ折りして折り曲げ部を底縁部とし、折り重なった両側縁部及び上縁部を有する外袋２部分を形成し、外袋用合成樹脂フィルムの内側に外袋用合成樹脂フィルムより上下方向に短い熱溶着性合成樹脂フィルムを上下方向に二つ折りして、その両側縁部及び上縁部を外袋用合成樹脂フィルムの両側縁部及び上縁部と一致させた状態に重ね合わせて配置されている内袋３用熱溶着性合成樹脂フィルムと外袋２用合成樹脂フィルムとを熱溶着により一体化することによって形成されている。【００３２】
図１の複室構造の密封収納用バッグの製造は、図１のａ及び図１のｂに示すように、まず、上記のように重ね合わせ配置されている外袋用フィルムと内袋用フィルムのうち、内袋３の底端部となる折り返し部に沿って、内袋３を形成するフィルム体の一方の壁（後壁）３ｂと外袋２の一方の壁（後壁）２ｂとを帯状に溶着接合して内袋底端部溶着接合部７を形成すると同時に、内袋３の他方の壁（前壁）３ａと外袋２の他方の壁（前壁）２ａとを小面積で方形状に溶着接合して内袋開封部６を形成する。次いで、外袋用フィルムと内袋用フィルムの側縁部を重ね合わせた状態で一体的に溶着接合してバッグ１の側端溶着接合部４，４を形成すると同時に、外袋用フィルムの底縁部をも溶着接合してバッグ１の外袋底端部溶着接合部８を形成する。【００３３】
かくして、収納空間部３ｃと内袋開封部６を有する内袋３が、収納空間部２ｃを有する外袋２内に固定配置された複室構造の密封収納用バッグ１が形成される。【００３４】
最後に、この内袋３の収納空間部３ｃと外袋２の収納空間部２ｃの双方に、使用時に混合される２種の物質を別々に収納し、充填口となっている上端開口部を溶着閉鎖して上端溶着接合部５を形成し、容器入り経静脈用総合栄養輸液製剤のような密封収納バッグが製造される。【００３５】
図１の複室構造の密封収納用バッグに使用時に混合される複数種類の物質を収納、密封して製造されている図１のｂの状態にある密封収納バッグは、図１のｃに示されるように、矢印方向に外袋の収納部を下方から上方に向って押圧すると、内袋３が配置されている上方部が膨張し、外袋２の前壁が外方に膨張するに伴って、外袋と内袋が小面積部分で溶着接合されている内袋開封部６に強い引っ張り力が働く。その結果、鋭利な角部を有する内袋開封部６は、鋭利な角部から内袋フィルムが破壊され、破壊部がさらに広がって内袋内収納空間部に収納されている収納物が外袋内に流れ出し外袋内収納空間部内の収納物と混合される。【００３６】
図２は、図１の密封収納用バッグに内袋開封部補強溶着部１０を設けた図である。図２のａ及び図２のｄに示すように、内袋３の内袋開封部６の上方領域において、バッグ１の上端部から内袋底部溶着接合部７方向に向かって先端部が前記内袋開封部６より上方領域に止まるように、外袋２の前壁２ａ、内袋３の前壁３ａと後壁３ｂとを一緒に外袋２の後壁２ｂに溶着して形成されている複数（２本）の平行な帯状の内袋開封部補強溶着部１０が形成されている。このような内袋開封部補強溶着部１０が設けられている内袋３は、上方領域は区画されているが、内袋開封部を含む下方領域は開放状態で連通している。【００３７】
そして、密封収納用バッグ１に内容物を収納し、密封したバッグの流通時や保管時に不可避的にバッグに懸かる押圧力により、図２のｃの状態に外袋内収納空間部２ｃが押圧されて内部に急激な膨張が生じた場合にも、外袋２の前壁２ａが外方に移動することが前記内袋開封部補強溶着部１０によって制限されることから、内袋開放部６に急激に大きな引張力が加わることを制限することができ、使用時まで内袋開放部６を補強し、保護することができる。【００３８】
図３は、内袋３部分をさらに３分割した密封収納用バッグ１を示す図である。図１の密封収納用バッグにおいて、図３のａ、図３のｂに示すように、内袋３の前壁３ａと後壁３ｂとを一緒に、縦方向に平行な複数の帯状の区画溶着接合部１１によって外袋２の後壁２ｂに溶着接合して内袋３を複数の小室３’，３’…に分割し、各小室毎に内袋開封部６’，６’…を形成することにより、より多くの種類の収納物質を隔離して収納することができる密封収納用バッグとすることができる。図３の密封収納バッグのＸ−Ｘ線断面図は図３のｃに、Ｙ−Ｙ線断面図は図３のｂに示す通りであり、その外袋内収納空間部２ｃの圧縮による内袋開封部６’近傍の膨張時の状態は図３のｄに示す通りである。【００３９】
図４は、図３の密封収納用バッグ１において、内袋３を各小室３’，３’…に分割している区画溶着接合部１１部分に、各小室３’の上端部から底端部方向に向かって先端部が前記内袋開封部より上方領域に止まるように配置された２本の平行な帯状の内袋開封部補強溶着部１０を形成した密封収納用バッグ１の例を示すものである。【００４０】
図４の密封収納バッグの場合、図４のａ、ｂ及びｃに示すように、内袋３を各小室に分割している縦方向に平行な複数の帯状の区画溶着接合部１１部分に重ねて、外袋２の前壁２ａを所定長さで帯状に溶着させて内袋開封部補強溶着部１０を形成している。図４に示すような内袋開封部補助溶着部１０の配置は、図３の密封収納用バッグのように、隔離収納する物質の種類が多くて各小室３’のサイズが比較的に小さくなっているバッグの場合に有効であり、好ましい。【００４１】
上記の各図に示される本発明の密封収納バッグにおいては、内袋開封部６は内袋３における底端部溶着接合部７に接近した部位に設けることが好ましい。このような部位に内袋開封部を設けると、外袋下方からの圧縮力により内袋開封部近傍の外袋に膨張力が加わった場合、外袋の膨張によって外方に移動する外袋前壁の移動によって引っ張られる内袋開封部の移動可能距離が短くなるため、外袋内収納空間部の所期膨張段階から内袋開封部に強い引っ張り力が集中することとなり、確実な内袋開封部の破壊が達成されるし、開封部破壊後の内袋内収納物の完全流出にも寄与する。【００４２】
図５は、内袋３の底端部１２における溶着接合部７の位置を、内袋底端部（１２）より上方に離間して設けた図である。このように、溶着接合部７と底端部１２とを離間させることにより、密封収納バッグの流通・保管時に外袋に押圧力が懸かって外袋が膨張した場合に内袋底端部に遊び部分があるために、押圧力が小さい場合に外袋の膨張力が内袋開封部に直接懸かることが防止されることとなり、内袋開封部の補強機能が特に重視される場合に有効である。【００４３】
図６は、内袋開封部６の近傍に、内袋開封部の開封補助溶着部１３を設けた図である。開封補助溶着部１３は、図６のａ及び図６のａのＸ−Ｘ線断面図である図６のｂに示されるように、小面積の鋭利な角部を有する内袋開封部２の近傍に、幅広の非破壊性の溶着接合部を内袋前壁３ａと外袋前壁２ａとの間を溶着接合することによって形成されている。このような内袋開封部の開封補助溶着部１３を設けることにより、外袋２に外圧が加えられた場合に、図６のｃに示すように、内袋開封部６が破壊された後に、破壊部分が開封補助溶着部１３によってさらに引っ張られて拡張されることとなり、内袋内収納物の流出が確実に行われることとなる。このような開封補助溶着部１３を有する密封収納用バッグは、内袋内への収納物が反流動性のものである場合の多い、保存食品用として特に有用である。開封補助溶着部１３は、内袋開封部上辺と接するように配置することもできる。【００４４】
図７は、内袋開封部６の近傍に、内袋開封部の開封補助溶着部１３を設けると共に、外袋２の収納空間部を易剥離性溶着接合部１４によって上下に２分割して収納空間２ｃ−１と２ｃ−２を形成した密封収納用バッグ１を示している。【００４５】
このような易剥離性溶着接合部１４は、熱溶着時の溶着温度を低くして外袋内部の熱溶着性層同士を溶着接合することによって形成することができる。この易剥離性溶着接合部１４は、使用時に図７のｂに示すように２ｃ−２部分を押圧することにより剥離させて２ｃ−１と連通させることができ、その後、さらに図７のｃに示すように押圧することにより、内袋開封部６を破壊して全収納物を混合することができる。【００４６】
また、上記易剥離性溶着接合部１４と前記内袋底端部溶着接合部７を境界として図７のｄに示すようにＺ折に折り畳むことにより、密封収納バッグに流通・保管時に大きな押圧力が加わった場合にも内袋開封部６に直接大きな破壊力が加わらないようにすることも可能である。【００４７】
なお、上記各図には、内袋を一枚のフィルム体を二つ折りして形成した例を示したが、内袋は一枚のフィルム体をそのまま外袋の前壁と後壁に溶着することによって形成することもできる。
【実施例】
【００４８】
以下、実施例に基いて本発明の密封収納用バッグを具体的に説明するが、本発明はこれらの実施例によって限定されるものではなく、本発明の範囲を逸脱することのない範囲において、下記実施例のものに種々の変更を加えることは可能であり、本発明はそれらのものをも包含するものである。【００４９】
実施例１
ポリエステルフィルム（１２μｍ）／ウレタン系接着剤３．５ｇ／ｍ2（東洋モートン
（株）製「ＡＤ−９００」／Ｌ−ＬＥＰＥ〔７０μｍ、東セロ（株）製「ＴＵＸ−ＦＣＳ
」〕をドライラミネートによって貼合して、サイズ（幅１３０ｍｍ×長さ２００ｍｍ）の外袋用包材（幅１３０ｍｍ×長さ４００ｍｍ）を作製した。また、Ｌ−ＬＤＰＥ（線状低密度ポリエチレン）フィルム〔３０μｍ、東セロ（株）製「ＴＵＸ−ＦＣＳ」〕によりサイズ（幅１３０ｍｍ×長さ７０ｍｍ）の内袋用包材（幅１３０ｍｍ×長さ１４０ｍｍ）を作製した。【００５０】
次いで、外袋用包材と内袋用包材の長手方向の一端部を重ね合わせ、内袋用包材を内側にして長手方向に二つ折りし、富士インパルス（株）製「ＯＰＬ−３００−１０」型インパルスシール機により、内袋包材の一方の壁（後壁）を外袋包材の一方の壁（後壁）に溶着接合して図１に示す内袋底端部溶着接合部７を形成してサイズ巾１３０ｍｍ×長さ７０ｍｍの内袋３部分を形成した。次いで、シールバーを改造したテスター産業（株）製ヒートシール機を使用し、シール温度：１５０℃にて図１の内袋３部分の折返し部から上１２ｍｍの内袋包材の他方の壁（前壁）３ａの中央部の４．５ｍｍ×４．５ｍｍの方形部分を外袋包材の他方の壁（前壁）２ａに溶着して内袋開封部６を形成した。  次いで、図１に示すように、外袋包材の側端部部分を溶着接合してバッグ１の側端溶着接合部４と外袋包材の折返し部を溶着接合してバッグ１の底端部溶着接合部８を形成し、外袋２の上方部に内袋３を内蔵している密封収納用バッグ１を形成した。【００５１】
このように形成されているバッグは、外袋２内に内蔵されている内袋３の底端部（内袋包材の折返し部）に沿った帯状部分が外袋後壁２ｂ側に溶着接合されており、内袋前壁３ａは、その幅方向中央部の４．５ｍｍ×４．５ｍｍ部分が外袋前壁３ａに溶着接合されて内袋開封部６が形成されている構造を有しており、密封収納用バッグ１の上端部は、内袋及び外袋共に収納物の充填用開口部となっている。【００５２】
次いで、上記のように製造された密封収納用バッグ１の底部８に、別体の収納物取り出し用スパウト９を取り付けて密封収納用バッグ１を製造した。【００５３】
上記のように製造された密封収納バッグ１の上端部の充填用開口部より内袋３の収納空間部３ｃ内に擬似液として赤色着色水１５ｍｌを充填し、外袋２の収納空間部２ｃに１５０ｍｌの水を充填した後、上端開口部を溶着閉鎖して上端溶着接合部５を形成し、図１ａに示す正面図、図１ａのＸ−Ｘ線断面図である図１ｂに示す形状を有する２種収納物を隔離収納した密封収納バッグを製造した。【００５４】
次いで、上記のように製造した密封収納バッグ３０袋について、外袋２の底部側から中央部方向にかけてテンシロン型圧縮試験機により１００ｍｍΦの押し冶具で外袋を外部から水平に押圧し、図１ｃに示すように外袋２内収納部の内圧を上方に集中させて内袋開封部６の開封状態及び内袋内赤色着色水と外袋内の水との混合状態を観察した。【００５５】
押し圧１５Ｎで全ての密封収納バッグ１の内袋開封部６が破壊され、収納されている赤色着色水が流出し、外袋内の水と完全混合させることができた。【００５６】
実施例２
実施例１と同様に、外袋２の上方部に内袋３を内蔵している図１に示す密封収納用バッグ１を形成した。【００５７】
次いで、該密封収納用バッグの内袋３を内蔵している外袋２の上方領域における内袋開封部６より上方となる位置に、図２ａ、図２ｄに示すように、密封収納用バッグの上端部から内袋底端部溶着接合部７方向に向う２本の帯状の溶着接合部（幅６ｍｍ、長さ４０ｍｍ）によって、外袋２の前壁２ａ、内袋前壁３ａ、内袋後壁３ｂ及び外袋後壁２ｂを一体的に溶着接合して内袋開封部６の補強溶着部１０を形成した。【００５８】
このように形成した密封収納用バッグに実施例１と同様に赤色着色水を内袋収納部３ｃに充填し、水を外袋収納部２ｃに充填してバッグ上方開口部を溶着閉鎖して上端部溶着接合部５を形成して、図２ｃに示す断面形状を有する２種収納物を隔離収納した密封収納バッグを製造した。【００５９】
次いで、上記のように製造した密封収納バッグ３０袋について、外袋２の底部側から中央部方向にかけてテンシロン型圧縮試験機により１００ｍｍΦの押し冶具で外袋を外部から水平に押圧し、図２ｃに示すように外袋２内収納部の内圧を上方に集中させて内袋開封部６の開封状態及び内袋内赤色着色水と外袋内の水との混合状態を観察した。【００６０】
押し圧２０Ｎで、３０袋の密封収納バッグにおいて内袋開封部が完全に破壊され、収納されている赤色着色水が流出し、外袋内の水と完全混合させることができた。押し圧１０Ｎでは、内袋開封部６が開封していないか、開封が不完全なものが７袋あった。【００６１】
このことから、図２のように、内袋開封部６の補強溶着部１０を設けることは、密封収納バッグに流通や保管時に不可避的に懸かる押圧力により内袋開封部６が破壊して収納液同士が使用前に混合してしまうことを避けるために有効な手段であることが分かる。【００６２】
実施例３
実施例１で使用したものと同様の材料からなり、同一のサイズを有する外袋用包材と内袋用包材を使用し、また、実施例１で使用したものと同様の富士インパルス（株）製「ＯＰＬ−３００−１０」型インパルスシール機、及びテスター産業（株）製ヒートシール機を使用して、以下の手順で図３に示すような内袋が３つの小室に分割されている密封収納用バッグ１を形成した。【００６３】
まず、外袋用包材と内袋用包材の長手方向の一端部を重ね合わせ、内袋用包材を内側にして長手方向に二つ折りし、内袋包材の折返し端部に沿って内袋包材の後壁を帯状に外袋包材の後壁側に溶着接合して図３に示す内袋底端部溶着接合部７を形成すると同時に、内袋包材を幅方向に均等幅で３分割した場合のそれぞれの区画の幅方向中央部となる位置であって、かつ、内袋折返し部から上方１２ｍｍの内袋前壁３ａの４．５ｍｍ×４．５ｍｍ部分を外袋前壁３ａに溶着接合して内袋開封部６’を３箇所に形成した。【００６４】
次いで、前記３つの内袋開封部６’のそれぞれが幅方向中央部に位置するように、内袋の開口端部から内袋底端部溶着接合部７に至る２本の平行な帯状の区画溶着接合部１１によって内袋前壁３ａ、内袋後壁３ｂを外袋後壁２ｂに一体的に溶着して３つの小室３’からなる内袋３を形成した。【００６５】
次いで、図１に示すように、外袋側端部４と底端部８を溶着閉鎖して外袋上方部に３小室３’からなる内袋３を内蔵している密封収納用バッグ１を形成した。【００６６】
次いで、上記のように製造された密封収納用バッグの底部８に、別体の収納物取り出し用スパウト９を取り付けて図３に示す密封収納用バッグ１を製造した。【００６７】
上記のように製造した密封収納バッグ１の上端部の開口部より３つの収納空間部３’内に擬似液として赤色着色水５ｍｌづつを充填し、外袋２の収納空間部２ｃに１５０ｍｌの水を充填した後、上端開口部を溶着閉鎖して上端溶着部５を形成し、４室に収納物を隔離収納した密封収納バッグを製造した。【００６８】
上記のように製造した密封収納バッグ３０袋について、外袋２の底部側から中央部方向にかけてテンシロン型圧縮試験機により１００ｍｍΦの押し冶具で外袋を外部から水平に押圧して、内袋開封部６の開封状態及び内袋内赤色着色水と外袋内の水との混合状態を観察した。【００６９】
押し圧１５Ｎで全ての密封収納バッグの内袋開封部が破壊され、収納されている赤色着色水が流出し、外袋内の水と完全混合させることができた。【００７０】
実施例４
実施例３と同様に、３つの小室３’からなる内袋３を内蔵している図４のａや図４のｂに示されている密封収納用バッグ１を製造し、次いで、前記３小室３’を区画している溶着接合部１１上に、バッグ開口端部側から下方向に向けてそれぞれ２０ｍｍ、３０ｍｍ、６０ｍｍの長さで外袋前壁２ａを前記溶着接合部１１上に溶着接合して図４のａや図４のｃに示される内袋開封部６の補強溶着部１０を形成した。なお、上記補強溶着部１０の長さが６０ｍｍである場合は、前記溶着接合部１１上に全長にわたって外袋前壁面が溶着接合されている状態を意味している。【００７１】
上記のように製造したそれぞれの密封収納バッグ３０袋づつについて、外袋２の底部側から中央部方向にかけてテンシロン型圧縮試験機により１００ｍｍΦの押し冶具で外袋を外部から水平に押圧して、３つの小室３’の内袋開封部６の開封状態及び内袋内赤色着色水と外袋内の水との混合状態を観察した。結果を表１に示す。【００７２】
実施例５
実施例４の密封収納用バッグ１において、前記内袋３の３つの小室３’の底部を外袋２の前壁２ｂに溶着接合している帯状の底端部溶着接合部７を、図５に示すように、前記内袋３を形成している内袋包材の折返し端部から１２ｍｍ上方の位置に該折返し端部と平行に設けること、及び３つの小室３’を分離している溶着接合部１１上の内袋開封部補強溶着部１０の長さを３５ｍｍとすること以外は、実施例４密封収納用バッグと同様にして図５に示す密封収納用バッグ１を形成し、実施例４と同様に密封収納バッグ３０袋づつについて、外袋２の底部側から中央部方向にかけてテンシロン型圧縮試験機により１００ｍｍΦの押し冶具で外袋を外部から水平に押圧して、３つの小室３’の内袋開封部６の開封状態及び内袋内赤色着色水と外袋内の水との混合状態を観察した。結果を表１に示す。【００７３】
【表１】
0004678369.tif 000002
【００７４】
表１の結果から明らかなように、本発明の内袋開封部６を有する密封収納用バッグ１は、使用時まで一つの袋体内に互いを隔離して収納していて、使用直前に袋体内で互いを隔離している手段を外部からの押圧力のみによって破壊して容易に互いを混合することができる。また、さらに、内袋開封部６の補強溶着部１０を設けることにより、密封収納バッグの流通、保管時に不可避的に加わる押圧力に対しても安定した強度を付与することができる。なお、補強溶着部の長さが６０ｍｍであるサンプル（ハ）の場合、開封率が７０％であるが、未開封部は、手作業で内袋開封部に外袋の膨張力を集中させることによって容易に開封することができた。このサンプル（ハ）の場合、実験に使用したバッグのサイズでは未開封部が多くなったが、バッグサイズがより大きくなって内袋小室のサイズも大きくなった場合には、内袋開封部の補強効果がより以上に期待できるものである。【００７５】
また、実施例５の結果は、内袋３の底端部溶着接合部７を内袋の底端部より僅かに上方に設けることによっても密封収納バッグの流通、保管時に密封バッグに不可避的に加わる押圧力に対して安定した強度を付与することができる。【００７６】
実施例６
実施例４の（ロ）の密封収納用バッグ１において、前記内袋３の３つの小室３‘の各内袋開封部６に近接した位置に、内袋前壁３ａと外袋前壁２ａとを溶着接合して形成されている内袋開封部６の開封補助溶着部１３を設け、さらに、外袋２の収納空間部２ｃ部分を上下に２分割する帯状の易剥離性溶着接合部１４を設けることにより、図７に示す構造の密封収納用バッグを形成した。【００７７】
この密封収納用バッグの内袋を形成している各小室にバッグの上端部開口から赤色着色水を充填し、外袋内収納空間部３ｃの易剥離性溶着接合部１４によって分割されている内袋側小室２ｃ−１には、水を充填し、外袋収納用空間２ｃの易剥離性溶着接合部１４によって分割されている底部側小室２ｃ−２にはスパウトから水を充填し、最後にバッグ上端開口部を溶着閉鎖して上端溶着接合部５を形成することにより、図７のａに示す密封収納バッグを作製した。【００７８】
この密封収納バッグは、図７のｄに示すようにＺ折に折り畳むことにより流通・保管時における内袋開封部６の破壊を効果的に防止できるものであった。【００７９】
また、バッグの使用時には、図７のｂに示すように、外袋底部側２ｃ−１部分を外部から押圧することにより、外袋収納空間部を２分割している易剥離性溶着接合部１２を剥離して２ｃ−１と２ｃ−２の収納水を容易に一緒にすることができた。その後、図７のｃに示すように外袋部分全体を外部から押圧することにより、３箇所の内袋開封部６を開封して内袋内に収納されている赤色着色水と外袋内の水を混合することができるものであった。
【産業上の利用可能性】
【００８０】
以上の構造を有する本発明の複室構造の密封収納用バックは、上述したように、通常の流通時、貯蔵・保管時には互いを隔離して収納し、使用直前に互いを混合して使用するタイプの医薬品製剤や保存食品に広く使用することが可能であるが、その他にも、同様に使用直前まで互いを隔離収納しなければならない反応性の複数物質を収納保管する容器が求められている各種分野の要望にも対応可能な容器である。
【図１】
0004678369.tif 000003
【図２】
0004678369.tif 000004
【図３】
0004678369.tif 000005
【図４】
0004678369.tif 000006
【図５】
0004678369.tif 000007
【図６】
0004678369.tif 000008
【図７】
0004678369.tif 000009